(57)【要約】      （修正有）【課題】直線偏光による計測誤差が補正された輝度色度計を提供する。【解決手段】一側から照射される光が入射されるレンズモジュール１００、レンズモジュールを通じて入射された光を透過して偏光特性を変換させる偏光変換モジュール２００、一つの単位ブロックで構成され、偏光変換モジュールを経て入射された光を反射及び透過させ、それぞれ異なる三つの方向に分光させる分光モジュール４００、分光モジュールを通じてそれぞれ異なる三つの方向に分光される各々の光の進行経路上にそれぞれ配置され、三つの方向に分光される各々の光に対して特定スペクトルを含む単色光だけ透過させるフィルターモジュール５００、及びフィルターモジュールを通じて透過された各々の単色光の出射角に対応するように配置され、各々の単色光によって得られる輝度、色度及び欠陥の中で少なくともいずれか一つの計測ができるように構成された計測モジュール６００を含む。【選択図】図２
2017227625.tif 000002
【特許請求の範囲】
【請求項１】
一側から照射される光が入射されるレンズモジュール；
レンズモジュールを通じて入射された光を透過して偏光特性を変換させる偏光変換モジュール；
一つの単位ブロックで構成され、偏光変換モジュールを経て入射された光を反射及び透過させてそれぞれ異なる三つの方向に分光させる分光モジュール；
前記分光モジュールを通じてそれぞれ異なる三つの方向に分光される各々の光の進行経路上にそれぞれ配置され、三つの方向に分光される各々の光に対して特定スペクトルを含む単色光だけ透過させるフィルターモジュール；及び
前記フィルターモジュールを通じて透過された各々の単色光の出射角に対応するように配置され、前記各々の単色光によって得られる輝度、色度、及び欠陥の中で少なくともいずれか一つの計測ができるように設けられた計測モジュール；
を含む、直線偏光による計測誤差が補正された輝度色度計。
【請求項２】
一側から照射される光が入射されるレンズモジュール；
一つの単位ブロックで構成され、レンズモジュールを経て入射された光を反射及び透過させてそれぞれ異なる三つの方向に分光させる分光モジュール；
前記分光モジュールを通じてそれぞれ異なる三つの方向に分光される各々の光の進行経路上に配置され、三つの方向に分光される各々の光を透過して偏光特性を変換させる偏光変換モジュール；
前記偏光変換モジュールを経てそれぞれ異なる三つの方向に分光される各々の光の進行経路上にそれぞれ配置され、透過される光を特定スペクトルを含む単色光に変換させるフィルターモジュール；及び
前記フィルターモジュールを通じて透過された各々の単色光の出射角に対応するように配置され、前記各々の単色光によって得られる輝度、色度、及び欠陥の中で少なくともいずれか一つの計測ができるように構成された計測モジュール；
を含む、直線偏光による計測誤差が補正された輝度色度計。
【請求項３】
前記偏光変換モジュールは、
直線偏光を円偏光に変換させる波長板；
を含む、請求項１又は２に記載の直線偏光による計測誤差が補正された輝度色度計。
【請求項４】
前記波長板は、
互いに垂直の方向に振動する直線偏光が４分の１波長の光路差を生じさせるように厚さが決められた４分の１波長板である、請求項３に記載の直線偏光による計測誤差が補正された輝度色度計。
【請求項５】
前記分光モジュールは、
入射された光を反射及び透過させてそれぞれ異なる二つの方向に分光させる第１分光体；及び
前記第１分光体を通じて透過された光を反射及び透過させ、それぞれ異なる二つの方向に分光させる第２分光体を含み、
前記第１分光体に光が入射された地点からそれぞれ異なる三つの方向に分光され、各々のフィルターモジュールに到達するまでの距離が全て同一に構成されている、請求項１又は２に記載の直線偏光による計測誤差が補正された輝度色度計。
【請求項６】
前記第１分光体に入射される光の総量を１とするとき、前記それぞれ異なる三つの方向に分光される光の量は、それぞれ前記光の総量の３分の１である、請求項５に記載の直線偏光による計測誤差が補正された輝度色度計。
【請求項７】
前記フィルターモジュールを通じて透過された各々の単色光によって得られるそれぞれの結像は、同じ視野範囲を有する、請求項１又は２に記載の直線偏光による計測誤差が補正された輝度色度計。
【請求項８】
前記フィルターモジュールは、前記それぞれ異なる三つの方向に分光される各々の光を三刺激値の中でＸ値に当たるスペクトル、Ｙ値に当たるスペクトル、及びＺ値に当たるスペクトルに変換させる、請求項１又は２に記載の直線偏光による計測誤差が補正された輝度色度計。
【発明の詳細な説明】
【技術分野】
【０００１】
本発明は、直線偏光による計測誤差が補正された輝度色度計に係り、より詳細には、入射される光の直線偏光を円偏光に変換した後、輝度及び色度計測が行われるように構成されて、直線偏光の入射によって生じ得る計測誤差を補正した輝度色度計に関するものである。
【背景技術】
【０００２】
一般的に、光学が発達するにつれ、ディスプレイ装置の技術的成長が速く進行し、これを用いた産業もまたその範囲がますます広がっている。
【０００３】
最近のディスプレイ装置の技術動向は、柔軟性（ｆｌｅｘｉｂｌｅ）、防水（ｗａｔｅｒｐｒｏｏｆ）、透明（ｔｒａｎｓｐａｒｅｎｔ）、着用可能（ｗｅａｒａｂｌｅ）などの機能を有するパネルの開発と共に、大型化または小型化、超薄化を実現するための方向へ技術開発が活発に行われている。
【０００４】
さらに、ディスプレイ装置本来の機能である映像再現性を向上させるための技術も主なイッシュとして依然としてその重要性が高いと言える。
【０００５】
これにより、ディスプレイ装置が持つハードウェア（ｈａｒｄｗａｒｅ）の改良発展だけでなく、ディスプレイ装置の正確な性能を計測する技術もハードウェアの発達に合わせてより精密に、そして向上された結果を導出できるように開発することが要求されている。
【０００６】
ディスプレイ装置の性能を計測するための多様な方法の中で、カラー再現性及び輝度を測定し、ホワイトバランス（ｗｈｉｔｅ ｂａｌａｎｃｅ）を調整する技術が注目されており、従来の場合、カラー再現性及び輝度を測定するにあたり、分光方式を採用する点測定色度計が幅広く実施されている。
【０００７】
しかし、普通のディスプレイ装置は、画素別に液晶が並ぶ方向を電気的に調節することにより画素の明るさを変化させるために、偏光フィルム（ｐｏｌａｒｏｉｄ ｆｉｌｍ）を通じてバックライトから出る光を透過させる構造を有しているので、ディスプレイ装置を通じて照射される光には直線偏光が含まれる場合が多く、このような直線偏光が色度または輝度測定の誤差を増加させる原因となっている。
【０００８】
そして、このような直線偏光は、ディスプレイ装置から照射される光源を通じて色度及び輝度を測定するにあたって、ディスプレイ装置の整列が横方向または縦方向に変化することが計測値の差を大きく見せる原因となり、より正確な色度及び輝度の計測を難しくしている。
【０００９】
よって、このような問題点を解決するための方法が要求される。
【発明の概要】
【発明が解決しようとする課題】
【００１０】
本発明は、上述した従来技術の問題点を解決するために案出された発明であって、計測対象から入射される光の偏光特性によって、色度及び輝度が計測された結果値に生じる誤差を克服し、より正確な色度及び輝度計測ができる輝度色度計を提供するためのものである。
【００１１】
本発明の課題は、以上で言及した課題に制限されず、言及されていない他の課題は、以下の記載から当業者に明確に理解されることができる。
【課題を解決するための手段】
【００１２】
上記目的を果たすために、本発明の直線偏光による計測誤差が補正された輝度色度計は、一側から照射される光が入射されるレンズモジュール、レンズモジュールを通じて入射された光を透過して偏光特性を変換させる偏光変換モジュール、一つの単位ブロックで設けられ、偏光変換モジュールを経て入射された光を反射及び透過させて、それぞれ異なる三つの方向に分光させる分光モジュール、分光モジュールを通じてそれぞれ異なる三つの方向に分光される各々の光の進行経路上にそれぞれ配置され、三つの方向に分光される各々の光に対して特定スペクトルを含む単色光だけ透過させるフィルターモジュール、及びフィルターモジュールを通じて透過された各々の単色光の出射角に対応するように配置され、各々の単色光によって得られる輝度、色度、及び欠陥の中で少なくともいずれか一つの計測ができるように構成された計測モジュールを含む。
【００１３】
また、本発明の直線偏光による計測誤差が補正された輝度色度計は、一側から照射される光が入射されるレンズモジュール、一つの単位ブロックで構成され、レンズモジュールを経て入射された光を反射及び透過させてそれぞれ異なる三つの方向に分光させる分光モジュール、分光モジュールを通じてそれぞれ異なる三つの方向に分光される各々の光の進行経路上に配置され、三つの方向に分光される各々の光を透過して偏光特性を変換させる偏光変換モジュール、偏光変換モジュールを経てそれぞれ異なる三つの方向に分光される各々の光の進行経路上にそれぞれ配置され、透過される光を特定スペクトルを含む単色光に変換させるフィルターモジュール、及びフィルターモジュールを通じて透過された各々の単色光の出射角に対応するように配置され、各々の単色光によって得られる輝度、色度、及び欠陥の中で少なくともいずれか一つの計測ができるように構成された計測モジュールを含む。
【００１４】
なお、偏光変換モジュールは、直線偏光を円偏光に変換させる波長板を含んでもよい。
【００１５】
また、波長板は、互いに垂直の方向に振動する直線偏光が４分の１波長の光路差を生じさせるように厚さが決められた４分の１波長板（ｑｕａｒｔｅｒ−ｗａｖｅ ｐｌａｔｅ）であってもよい。
【００１６】
また、分光モジュールは、入射された光を反射及び透過させ、それぞれ異なる二つの方向に分光させる第１分光体、及び第１分光体を通じて透過された光を反射及び透過させ、それぞれ異なる二つの方向に分光させる第２分光体を含み、第１分光体に光が入射された地点からそれぞれ異なる三つの方向に分光され、各々のフィルターモジュールに到達するまでの距離が全て同一に構成されてもよい。
【００１７】
また、第１分光体に入射される光の総量を１とするとき、それぞれ異なる三つの方向に分光される光の量は、それぞれ前記光の総量の３分の１であってもよい。
【００１８】
また、フィルターモジュールを通じて透過された各々の単色光によって得られるそれぞれの結像は、互いに同じ視野範囲を有してもよい。
【００１９】
また、フィルターモジュールは、それぞれ異なる三つの方向に分光される各々の光を三刺激値の中でＸ値に当たるスペクトル、Ｙ値に当たるスペクトル、及びＺ値に当たるスペクトルに変換させてもよい。
【発明の効果】
【００２０】
本発明の直線偏光による計測誤差が補正された輝度色度計は、直線偏光を有する光の特性を円偏光を持つように変換させて色度及び輝度を測定することで、計測対象物の整列方向と無関係に、同様に信頼性の高い色度及び輝度の計測値を導出することができる効果を奏する。
【００２１】
また、分光モジュールに備えられるプリズムのような分光体を通じて生じ得る直線偏光も円偏光に変換させて計測モジュールに至るように構成されているので、色度及び輝度に対する計測信頼度を向上させる効果を奏する。
【００２２】
本発明の効果は、以上で言及した効果に制限されず、言及されていない他の効果は請求範囲の記載から当業者に明確に理解されることができる。
【図面の簡単な説明】
【００２３】
【図１】本発明の一実施例による直線偏光による計測誤差が補正された輝度色度計の斜視図である。
【図２】本発明の一実施例による直線偏光による計測誤差が補正された輝度色度計の分解斜視図である。
【図３】本発明の一実施例による直線偏光による計測誤差が補正された輝度色度計の断面図である。
【図４】本発明の一実施例による直線偏光による計測誤差が補正された輝度色度計を示す概略図である。
【図５】従来技術を通じて計測対象物の整列を異ならせながら三刺激値を測定したデータを示すものである。
【図６】本発明の一実施例による直線偏光による計測誤差が補正された輝度色度計を通じて、計測対象物の整列を異ならせながら三刺激値を測定したデータを示すものである。
【図７】本発明の一実施例による直線偏光による計測誤差が補正された輝度色度計に含まれるλ／４波長板の特性を示す概略図である。
【発明を実施するための形態】
【００２４】
以下、本発明の目的を具体的に実現できる本発明の望ましい実施例を添付の図面を参照して説明する。本実施例を説明するにあたり、同じ構成に対しては同じ名称及び同じ符号が使われ、これによる付加的な説明は省略する。
【００２５】
本発明による直線偏光による計測誤差が補正された輝度色度計は、下記のように実施されることができる。
【００２６】
図１は、本発明の一実施例による直線偏光による計測誤差が補正された輝度色度計の斜視図である。図２は、本発明の一実施例による直線偏光による計測誤差が補正された輝度色度計の分解斜視図である。図３は、本発明の一実施例による直線偏光による計測誤差が補正された輝度色度計の断面図である。
【００２７】
図１ないし図３を参照すると、本発明の一実施例による直線偏光による計測誤差が補正された輝度色度計は、その構成を大きく分けて、一側から照射される光が入射されるレンズモジュール１００、レンズモジュール１００を通じて入射された光を透過して偏光特性を変換させる偏光変換モジュール２００、一つの単位ブロックで構成され、偏光変換モジュール２００を経て入射された光を反射及び透過させてそれぞれ異なる三つの方向に分光させる分光モジュール４００、分光モジュールを通じてそれぞれ異なる三つの方向に分光される各々の光の進行経路上にそれぞれ配置され、三つの方向に分光される各々の光に対して特定スペクトルを含む単色光だけ透過させるフィルターモジュール５００、及びフィルターモジュール５００を通じて透過された各々の単色光の出射角に対応するように配置され、各々の単色光によって得られるそれぞれの輝度、色度、及び欠陥の中で少なくともいずれか一つの計測ができるように構成された計測モジュール６００を含む。
【００２８】
或いは、前記輝度色度計は、一側から照射される光が入射されるレンズモジュール１００、一つの単位ブロックで構成され、レンズモジュール１００を経て入射された光を反射及び透過させ、それぞれ異なる三つの方向に分光させる分光モジュール４００、分光モジュール４００を通じてそれぞれ異なる三つの方向に分光される各々の光の進行経路上に配置され、三つの方向に分光される各々の光を透過して偏光特性を変換させる偏光変換モジュール２００、偏光変換モジュール２００を経てそれぞれ異なる三つの方向に分光される各々の光の進行経路上にそれぞれ配置され、透過される光を特定スペクトルを含む単色光に変換させるフィルターモジュール５００、及びフィルターモジュール５００を通じて透過された各々の単色光の出射角に対応するように配置され、各々の単色光によって得られるそれぞれの輝度、色度、及び欠陥の中で少なくともいずれか一つの計測ができるように備えられる計測モジュール６００を含んでもよい。
【００２９】
以下、前記それぞれの構成を具体的に説明する。
【００３０】
レンズモジュール１００は、オブジェクトレンズ（対物レンズ）及びアタッチメントレンズなどを含む複数個のレンズから構成されている。
【００３１】
このように複数個のレンズから構成されるレンズモジュール１００は、複数個のレンズが入射される光の経路上に連続的に配置されることで作られる組み合わせで構成されてもよい。
【００３２】
レンズモジュール１００は、測定対象Ｓになるディスプレイ装置から発散される光を集光して、分光モジュール４００または偏光変換モジュール２００に向けて透光させることができ、複数個のレンズ１２０が第１ハウジング１１０の内側の周りに締結されて相互に組み合わせられることによって、球面収差、コマ収差、及び色収差を十分に修正するように構成されてもよい。
【００３３】
このようなレンズモジュール１００に使われるオブジェクトレンズは、フラウンホーファー型、ガウス型、及びテーラー型のいずれかで構成されてもよい。
【００３４】
これは例示的なものであり、本発明が適用される実施例が多様な形状及び組み合わせで具現されてもよいことは明らかである。
【００３５】
本発明の一実施例では、レンズモジュール１００を通じて透光された光を集光させて光の直進性と集光性とを高めるためのテレセントリックモジュールがさらに含まれてもよい。テレセントリックモジュールは、レンズモジュール１００と分光モジュール４００との間、または、レンズモジュール１００と偏光変換モジュール２００との間に配置されることができる。また、テレセントリックモジュールは、レンズモジュール１００を通じて透光されて分光モジュール４００または偏光変換モジュール２００に入射される光の進行経路上に配置されてもよい。
【００３６】
偏光変換モジュール２００は、第２ハウジング２１０の内側に拘束される波長板２２０を含んでもよい。
【００３７】
波長板２２０は、互いに垂直の方向に振動する直線偏光の間に１／４波長の光路差を生じさせるように、厚さが定められた複屈折板である４分の１波長板によって具現されてもよく、一側で波長板２２０の法線に沿って入射された直線偏光を円偏光に変換させ、波長板２２０の法線に沿って他側に透過させる。
【００３８】
直線偏光及び円偏光は、偏光の一種であって、光波の振動方向が１方向である。すなわち、光の進行を考えるとき、振動が１平面内に含まれる光を直線偏光と言い、光波の振動方向が円振動であることを円偏光と言う。
【００３９】
４分の１波長板は、円偏光を直線偏光に変換するとともに、直線偏光を円偏光に変換して透過させる特性を有する。本発明の一実施例において、４分の１波長板は、測定対象Ｓとなるディスプレイ装置からレンズモジュール１００を経て入射される光の直線偏光を、偏光変換モジュール２００を経て円偏光に変換するように構成される。
【００４０】
本発明の第１実施例として、偏光変換モジュール２００は、レンズモジュール１００と接するように配置されてもよく、レンズモジュール１００を経て入射された光の直線偏光を円偏光に変換して透過し、分光モジュール４００に伝達するように構成されてもよい。
【００４１】
また、本発明の第２実施例として、偏光変換モジュール２００は、後述する分光モジュール４００を通じてそれぞれ異なる三つの方向に分光される光の経路上にフィルターモジュール５００と接するように配置されてもよい。
【００４２】
それぞれ異なる経路上に三つの偏光変換モジュール２００を設けた場合、測定対象Ｓであるディスプレイ装置から入射される光の直線偏光だけでなく、分光モジュール４００に備えられるプリズムのような光学部品を通じて生じ得る直線偏光までも円偏光に変換して透過するようになるので、第１実施例と比べてより優れた計測性能を示す効果を得ることができる。
【００４３】
分光モジュール４００は、一つの単位ブロックで構成され、レンズモジュール１００または偏光変換モジュール２００を通じて入射される光の経路を保全するための光路の役割をする鏡筒３００を通じてレンズモジュール１００または偏光変換モジュール２００と結合されてもよい。
【００４４】
分光モジュール４００は、鏡筒３００を経て透光される光の一部を反射し、残りを透過させることでそれぞれ異なる三つの方向に分光させる。
【００４５】
図４は、本発明の一実施例による直線偏光による計測誤差が補正された輝度色度計を示す概略図である。
【００４６】
図４に示すように、分光モジュール４００は、鏡筒３００を経て透光される光の一部を反射させて残りを透過させる第１分光体４２２、及び第１分光体４２２を通じて透過された光の一部を反射させて残りを透過させる第２分光体４２４を含む一つの単位ブロックで構成されてもよい。
【００４７】
すなわち、一つの単位ブロックの内部に、既に設定された角度で分光体４２０の第１分光体４２２及び第２分光体４２４が設けられることで、鏡筒３００を経て透光される光路に沿って進む光をそれぞれ異なる三つの方向に分光させることができる。なお、このとき、第１分光体４２２及び第２分光体４２４の設定角度に応じて分光される光の方向を変えることができる。第１分光体４２２及び第２分光体４２４の分光透光率は、０度〜４５度の間で構成されてもよい。
【００４８】
また、分光モジュール４００は、鏡筒３００を経て入射される光が到逹する第１分光体４２２及び第２分光体４２４の入射面と、三つの方向に分光された各々の光が出射される出射面とが垂直になるように、すなわち、透過される光の入射角と出射角とが垂直になるように構成されている。
【００４９】
また、分光モジュール４００は、分光体４２０に入射される光の総量を１とすると、三つの方向に分光されて出射面を通じて出射される各々の光の量が光の総量の１／３になるように構成されている。
【００５０】
さらに、前述のテレセントリックモジュールによってレンズモジュール１００または偏光変換モジュール２００を通じて分光モジュール３００に入射される光の入射角は、分光体４２０の入射面に対して垂直になるように維持されるので、直進性及び集光性が確保される。
【００５１】
また、テレセントリックモジュールによって分光モジュール４００を経てそれぞれ異なる三つの方向に分光されるので、フィルターモジュール５００に入射される各々の光の入射角が一定の角度で維持されるだけでなく、集光されて入射されるように構成されてもよい。
【００５２】
一方、分光モジュール４００は、それぞれ異なる三つの方向に分光される各々の光が前記一つの単位ブロックに入射されてから出射されるまでの進行距離が同一になるよう構成されてもよい。
【００５３】
具体的には、第１分光体４２２を通じて反射される光の進行距離と、第１分光体４２２を透過して第２分光体４２４を通じて反射される光の進行距離と、第１分光体４２２と第２分光体４２４を全て透過する光の進行距離とが、全て同一になるように構成されてもよい。
【００５４】
分光モジュール４００に入射された後、分光して出射される各光の進行距離が同一である場合、それぞれ同じ視野範囲（ＦＯＶ：Ｆｉｅｌｄ ｏｆ Ｖｉｅｗ）を有する均一な結像を計測モジュール６００で獲得できるという長所がある。また、テレセントリックモジュールを通じて分光モジュールから出射されて干渉フィルターモジュールに入射される光の角度を一定に維持させられるだけでなく、集光された状態でフィルターモジュール５００に入射させられるという長所がある。
【００５５】
一方、フィルターモジュール５００は、前述の分光モジュール４００または偏光変換モジュール２００に接するように配置され、分光モジュール４００または偏光変換モジュール２００を経てそれぞれ異なる三つの方向に分光された各々の光の進行経路上に配置されるそれぞれ三つのフィルター５２０によって具現化される。
【００５６】
フィルター５２０は、第４ハウジング５１０の内側に配置されて、薄膜上で起きる干渉現象を利用して特定のスペクトルを有する単色光だけを分離するものであり、分光モジュール４００を通じて分光された各々の光に対して特定スペクトルを含む単色光だけ透過させる。
【００５７】
このとき、それぞれのフィルター５２０によってフィルタリングされる各々の単色光には、国際照明委員会（ＣＩＥ：Ｃｏｍｍｉｓｓｉｏｎ Ｉｎｔｅｒｎａｔｉｏｎａｌｅ ｄｅ ｌ'Ｅｃｌａｉｒａｇｅ）で規定している標準表色系（ＣＩＥ １９３１ ｓｔａｎｄａｒｄ ｃｏｌｏｒｉｍｅｔｒｉｃ ｓｙｓｔｅｍ）による三刺激値によるＸ、Ｙ、Ｚ領域の特定スペクトルが含まれてもよい。
【００５８】
より具体的には、三つのフィルター５２０は、三刺激値の中で４００〜５５０ｎｍのスペクトルを含むＺ値を有する単色光のみを透過させるフィルター、４５０〜７００ｎｍのスペクトルを含むＹ値を有する単色光のみを透過させるフィルター、５００〜７００ｎｍのスペクトルを含むＸ値を有する単色光のみを透過させるフィルターであってもよい。
【００５９】
フィルターモジュール５００におけるそれぞれのフィルター５２０は、計測正確度を向上させるために、入射される光が一定の角度を維持できるように設けられている。
【００６０】
計測モジュール６００は、フィルターモジュール５００を経て透過された前記各々の単色光の出射角に対応するように配置され、前記各々の単色光によって得られる各々の結像の輝度、色度、及び欠陥の中で少なくともいずれか一つの測定ができるように構成されている。
【００６１】
また、計測モジュール６００は、前記それぞれのフィルター５２０に対応する個数設けられ、各々の計測モジュール６００を通じて得られる各々の結像が、同じ視野範囲（ＦＯＶ：Ｆｉｅｌｄ ｏｆ Ｖｉｅｗ）を有するように構成されてもよい。
【００６２】
図５は、従来技術を通じて計測対象物の整列を異ならせながら三刺激値を測定したデータを示すものである。計測対象Ｓとなるディスプレイ装置を通じて照射される光の直線偏光は、ディスプレイ装置を横方向に整列して計測するときと、縦方向に整列して計測するときとで、計測値に差が生じる。
【００６３】
すなわち、ディスプレイ装置の色度、輝度、及び欠陥を本発明の一実施例によって計測するとき、同じ地点の計測値であっても、ディスプレイ装置の整列状態、整列された角度等によって大きい誤差を有することになる。
【００６４】
図６は、本発明の一実施例による直線偏光による計測誤差が補正された輝度色度計を通じて計測対象物の整列を異ならせながら三刺激値を測定したデータを示すものである。計測対象Ｓのディスプレイ装置の整列状態、整列角度にかかわらず、同じ地点の三刺激値の計測値が一定に導出される。
【００６５】
図７は、本発明の一実施例による直線偏光による計測誤差が補正された輝度色度計に含まれるλ／４波長板の特性を示す概略図である。
【００６６】
以上、本発明による望ましい実施例を説明したが、前述した実施例の他にも本発明がその趣旨や範疇から脱することなく、他の特定形態で具体化できるという事実は、当該技術分野における通常の知識を有する者には自明なことである。よって、上述した実施例は制限的なものではなく例示的ものとして解釈されるべきであり、本発明は上述した説明に限定されず、添付した請求項の範疇及びそれに同等の範囲内で変更されてもよい。
【符号の説明】
【００６７】
１００：レンズモジュール
１１０：第１ハウジング
１２０：レンズ
２００：偏光変換モジュール
２１０：第２ハウジング
２２０：波長板
３００：鏡筒
４００：分光モジュール
４１０：第３ハウジング
４２０：分光体
４２２：第１分光体
４２４：第２分光体
４３０：テレセントリックモジュール
５００：フィルターモジュール
５１０：第４ハウジング
５２０：フィルター
６００：計測モジュール
【図１】
2017227625.tif 000003
【図２】
2017227625.tif 000004
【図３】
2017227625.tif 000005
【図４】
2017227625.tif 000006
【図５】
2017227625.tif 000007
【図６】
2017227625.tif 000008
【図７】
2017227625.tif 000009
【外国語明細書】
2017227625.tif 000010
2017227625.tif 000011
2017227625.tif 000012
2017227625.tif 000013
2017227625.tif 000014
2017227625.tif 000015
2017227625.tif 000016
2017227625.tif 000017
2017227625.tif 000018
2017227625.tif 000019
2017227625.tif 000020
2017227625.tif 000021
2017227625.tif 000022
2017227625.tif 000023
2017227625.tif 000024
2017227625.tif 000025
2017227625.tif 000026
2017227625.tif 000027
2017227625.tif 000028
2017227625.tif 000029
2017227625.tif 000030
2017227625.tif 000031
2017227625.tif 000032
2017227625.tif 000033
2017227625.tif 000034